(57)【特許請求の範囲】
【請求項１】
薄板により形成した連結片と、この連結片の一端を折り曲げてなる電線接続部と、前記連結片の他端を前記電線接続部と同じ方向に折り曲げてなる鎖錠片および接触片とを備え、
前記鎖錠片は、前記連結片より折り曲げた第１の折り曲げ部と、この第１の折り曲げ部に連なる第１の根元部と、この第１の根元部から前記電線接続部に近づくように延びる第１のばね部と、この第１のばね部の先端に設けられ前記電線接続部との間に挿入された電線を係止する鎖錠部とを有し、
前記接触片は、前記連結片より折り曲げた第２の折り曲げ部と、この第２の折り曲げ部に連なる第２の根元部と、この第２の根元部から前記電線接続部に近づくように延びる第２のばね部と、この第２のばね部の先端に設けられ前記電線接続部との間に挿入された前記電線に接触する接触部とを有し、
前記鎖錠片は前記接触片よりも電線挿入側に配置された速結端子装置において、
前記鎖錠片の鎖錠部は前記第１のばね部の先端の幅方向の前記連結片に近い側に形成され、前記第１のばね部の先端の幅方向の前記連結片から遠い側が前記電線接続部からはみ出しかつ前記先端の幅方向の前記連結片から遠い側に前記電線接続部の電線挿入方向に屈曲した延出片を有し、
前記鎖錠片の前記第１のばね部の過変形を防止するストッパ部を、前記連結片の一部を切り起こして形成し、前記ストッパ部は一側縁が前記延出片の屈曲部分の凹み側に対向し、前記第１のばね部が弾性変形したとき前記一側縁が前記屈曲部分の凹みに係止する速結端子装置。
【請求項２】
前記ストッパ部は切り起こしの根元を底辺とし、前記鎖錠片側を高さとする略直角三角形状である請求項１記載の速結端子装置。
【発明の詳細な説明】
【技術分野】
【０００１】
この発明は、例えば誘導灯照明器具または非常灯照明器具に内蔵する電子回路に電源を接続するための電源端子台等に適用する速結端子装置に関するものである。
【背景技術】
【０００２】
速結端子はばね部の先端に設けた鎖錠部と、この鎖錠部に対向する電線接続部と、電線に接触する接触部を有し、鎖錠部で電線に係止して接続する。また速結接続した電線を外す場合、ハウジングに設けた解除ボタンを押して鎖錠部をばね部を弾性変形して電線から離れるように後退させるが、ばね部を過変形するおそれがあるため、ばね部の過変形を防止するストッパを設けることが望ましい。
【０００３】
しかし、ストッパ部を速結端子を収納するハウジングに設けると、速結端子を収納するハウジングの収納スペースが小さくなり収納作業性が悪くなる。
【０００４】
また、電線を斜めから挿入する電源端子台においては（例えば特許文献１参照）、そのハウジングに収納された速結端子が斜めとなるためハウジングにストッパを形成しにくいので、ストッパ部を設けていなかった。
【特許文献１】特開２０００−２４３４７８号公報
【発明の開示】
【発明が解決しようとする課題】
【０００５】
このような電源端子台は電線結線後の占有領域を小さくでき、器具全体を小さく、薄くできるというメリットがあるが、電線挿入時に挿入方向に対して斜めの力を受けやすいため、ばね部が過変形しやすいという問題があった。
【０００６】
したがって、この発明の目的は、ハウジングの収納スペースを小さくすることなく容易にストッパ部を設けることができ、ばね部の過変形を防止することができる速結端子装置を提供することである。
【課題を解決するための手段】
【０００７】
この発明の速結端子装置は、薄板により形成した連結片と、この連結片の一端を折り曲げてなる電線接続部と、前記連結片の他端を前記電線接続部と同じ方向に折り曲げてなる鎖錠片および接触片とを備えている。前記鎖錠片は、前記連結片より折り曲げた第１の折り曲げ部と、この第１の折り曲げ部に連なる第１の根元部と、この第１の根元部から前記電線接続部に近づくように延びる第１のばね部と、この第１のばね部の先端に設けられ前記電線接続部との間に挿入された電線を係止する鎖錠部とを有する。前記接触片は、前記連結片より折り曲げた第２の折り曲げ部と、この第２の折り曲げ部に連なる第２の根元部と、この第２の根元部から前記電線接続部に近づくように延びる第２のばね部と、この第２のばね部の先端に設けられ前記電線接続部との間に挿入された前記電線に接触する接触部とを有する。前記鎖錠片は前記接触片よりも電線挿入側に配置されている。前記鎖錠片の鎖錠部は前記第１のばね部の先端の幅方向の前記連結片に近い側に形成され、前記第１のばね部の先端の幅方向の前記連結片から遠い側が前記電線接続部からはみ出しかつ前記先端の幅方向の前記連結片から遠い側に前記電線接続部の電線挿入方向に屈曲した延出片を有する。前記鎖錠片の前記第１のばね部の過変形を防止するストッパ部を、前記連結片の一部を切り起こして形成している。前記ストッパ部は一側縁が前記延出片の屈曲部分の凹み側に対向し、前記第１のばね部が弾性変形したとき前記一側縁が前記屈曲部分の凹みに係止するものである。
【０００８】
上記構成において、前記ストッパ部は切り起こしの根元を底辺とし、前記鎖錠片側を高さとする略直角三角形状である。
【発明の効果】
【０００９】
この発明の速結端子装置によれば、電線が斜めに挿入されるとき、電線により鎖錠片に余分の外力が加わってもばね部がストッパに当たることにより過変形を防止できる。またストッパを連結片に設けたため、ハウジングの収納スペースが小さくならず収納作業性も悪くならず、しかもストッパ部を容易に設けることができる。
【００１０】
また、通常の速結端子の大きさでは連結片に大きな面積を確保することが難しいが、ストッパ部を直角三角形状にすることにより、ストッパ部の切り起こしのための面積が小さくてすみ、形状が平等ばりとすることができるので過変形防止機能を損なうことがない。
【発明を実施するための最良の形態】
【００１１】
この発明の第１の実施の形態を適用した電源端子台を図１から図１２により説明する。すなわち、この電源端子台はハウジング１内に速結端子２を収納している。
【００１２】
ハウジング１は樹脂製のボディ３と樹脂製のカバー４からなる。ボディ３は底浅の箱形であり、周囲は前端壁５、後端壁６および両側壁７、８からなっており、底部の外面が取付面３ａとなっている。後端壁６および両側壁７、８は同じ高さであるが、前端壁５はそれらよりも高くかつ他の壁と同じ高さに外方に張り出す段部９を形成し、段部９の先端からさらに支持壁１０を立設している。ボディ３内には前端壁５と後端壁６との間をつなぐように複数条例えば４条の隔壁１１を設けて隔壁１１および側壁７、８との間に形成される溝のうち中央の溝を除く４条を端子収納溝１２としている。これらの端子収納溝１２内に位置するように支持壁１０に端子支持用のスリット１３を形成している。また一側壁８の前端壁５寄りに前端壁５の幅を狭くする凹部１４を形成している。さらに両側壁７、８にそれぞれカバー固定部としてカバー取付け爪１５を突設している。
【００１３】
カバー４はボディ３に冠合する相似形状をなしており、前端壁５の前面には被さらないで前方に張り出す端子押さえ片１６を設けている。カバー４の両側壁にカバー取付け爪１５を嵌合させる連結孔４６を形成するとともに取付部１７をカバー４の開口端よりも上方に位置して外方に張り出している。１８はねじ挿通穴である。１９は凸部であり、ねじ挿通穴１８の径とこれに挿通するねじの径との差による電源端子台の取付部１７での位置ずれを防止する位置決めに用いる。これは電線を速結端子２に差し込んだり抜き出す場合に加わる外力によって電源端子台が動くのを確実に防止し、後述の刃形端子３６の差し込み時のおよび差し込み状態でのねじれ等の変形を防止することを目的としている。
【００１４】
カバー４の上面は前端から後端にかけて波形に形成している。波形の山は２つであり、各山の傾斜面２０〜２３のうち端子押さえ片１６に向いた傾斜面２０、２２はそれぞれ電線挿入穴２４ａ〜２４ｄ、２５ａ〜２５ｄを形成している。これらの電線挿入穴２４ａ〜２４ｄ、２５ａ〜２５ｄはボディ３の４個の端子収納溝１２に対向するように形成されている。この場合、電線挿入方向が取付面３ａに対して３０度〜６０度程度の角度をもつように形成されている。また電線挿入穴２４ｃ、２４ｄの間および電線挿入穴２５ｃ、２５ｄの間に識別用突起２６を設けている。識別用突起２６は端に位置する電線挿入穴２４ｄ、２５ｄがアース端子用であることを示し、電源端子用の電線挿入穴２４ａ〜２４ｃおよび２５ａ〜２５ｃとの識別を容易にしている。カバー４の他の傾斜面２１、２３はボディ３の相隣接する端子収納溝１２にまたがるように電線解除部２８が一体形成されている。各電線解除部２８は基端部２８ａがカバー４の上面の波形の頂上側でカバー４に一体に連接し、波形の谷側が先端部２８ｂとなりカバー４に形成した穴内に配置されている。この先端部２８ｂは相隣接する端子収納溝１２に収納される速結端子２の電線を同時に解除する幅を有する。また先端部２８ｂにはカバー４との間を破断しやすい細いつなぎ部２８ｃにより連結されて仮固定されている。このつなぎ部２８ｃは電源端子台の上面に定格表示などの印刷を行う際、電線解除部２８が浮き上がって汚れるのを防止する役目をする。また成形時に電線解除部２８への樹脂の流れをよくする機能もある。印刷後はつなぎ部２８ｃはカットされる。
【００１５】
速結端子２は、各端子収納溝１２に収納される細長薄板の導電板３０に形成されている。ボディ３の両側の端子収納溝１２に収納される導電板３０はそれぞれ互いに反対側で側壁７、８に近い側部に、カバー４の各波形の山に対応して２個の連結片３１を立ち上げている。各連結片３１には連結片３１の一端を折り曲げてなる電線接続部３３と、連結片３１の他端を電線接続部３３と同じ方向に折り曲げてなる鎖錠片３２および接触片３４とを有する。鎖錠片３２は、連結片３１より折り曲げた第１の折り曲げ部８０と、この第１の折り曲げ部８０に連なる第１の根元部８１と、この第１の根元部８１から電線接続部３３に近づくように延びる第１のばね部８２と、この第１のばね部８２の先端に設けられ電線接続部３３との間に挿入された電線９０を係止する鎖錠部８３とを有する。鎖錠部８３は図１に示すように、第１のばね部８２の先端の幅方向の連結片３１に近い側に形成され、第１のばね部８２の先端の幅方向の連結片３１から遠い側が電線接続部３３からはみ出しかつ先端の幅方向の連結片３１から遠い側に電線接続部３３の電線挿入方向に屈曲した延出片８２ａを有する。接触片３４は、連結片３１より折り曲げた第２の折り曲げ部８４と、この第２の折り曲げ部８４に連なる第２の根元部８５と、この第２の根元部８５から電線接続部３３に近づくように延びる第２のばね部８６と、この第２のばね部８６の先端に設けられ電線接続部３３との間に挿入された電線９０に接触する接触部８７とを有する。鎖錠片３２は接触片３４よりも電線挿入側に配置され、根元部８１、８４は互いに近づけて配置され、ばね部８２、８６は略平行に延びて電線接続部３３に接近するようにしている。さらに鎖錠片３２のばね部８２の過変形を防止するストッパ部７６を、ばね部８２、８６の間の連結片３１の一部を切り起こして形成している。ストッパ部７６はその板平面がボディ３の取付面３ａに対して略直交となるように配置され、図１に示すようにストッパ部７６の一側縁が延出片８２ａの屈曲部分の凹み側に対向している。したがって図１から明らかなように第１のばね部８２が弾性変形したとき、ストッパ部７６の一側縁が第１のばね部８２の屈曲部分の凹みに係止する。
【００１６】
鎖錠片３２と電線接続部３３の間の電線挿入部分は電線挿入穴２４ａ、２４ｄ、２５ａ、２５ｄに対向するように傾斜しており、カバー４の電線解除部２８のある傾斜面２１、２３の内側に位置している。したがって、電線挿入穴２４ａ、２４ｄ、２５ａ、２５ｄより電線を挿入すると、電線９０の先端が鎖錠片３２と電線接続部３３との間に挿入され、接触片３４の接触部８７と電線接続部３３との間に挟まれて接触した状態で結線状態となる。また結線状態で電線解除部２８を押すと鎖錠片３２が押圧されて鎖錠片３２の電線９０への食い込みが解除され、電線９０を引き抜くことができる。電線９０を電線挿入穴に挿入するとき斜めに力が加わることによるばね部８２の過変形や、電線解除部２８を押すことによるばね部８２の過変形はストッパ部７６により防止される。
【００１７】
また、導電板１２のボディ３の前端壁５側に収納される一端部の側部より刃形端子３６が立ち上がるように折り曲げられている。刃形端子３６は導電板３０の前端より逆Ｌ字形に前方に延出している。導電板３０を端子収納溝１２に収納した状態で刃形端子３６は支持壁１０のスリット１３に挿通され、これに位置決めされ変形防止されている。また刃形端子３６の先端部には縦長のリブ３７を形成し、リブ３７の下端は刃形端子３６の下端すなわち差し込み端よりも若干上側すなわち後端寄りに位置し、上端は刃形端子３６の上端（後端）まで延びている。
【００１８】
速結端子２と刃形端子３６は導電板３０の同じ側部より立ち上げており、４つ並んだ導電板３０のうちの１つおきの導電板３０は、導電板３０の同じ側部より連結片３１および刃形端子３６を立ち上げ、隣合う導電板３０の連結片３１および刃形端子３６は導電板３０の反対側の側部より立ち上げて対称な形状となっている。速結端子２のうち凹部１４に隣接する端子収納溝１２に収納されたものはアース用であり、他は電源用または送り用である。
【００１９】
さらに速結端子２のうちのアース用端子はアース端子３８を設けている。アース端子３８はボディ７の底部に形成したスリット３９より取付面３ａの外部に突出し、ボディ７を被取付体となる例えば器体の金属製の取付板５５に取付ける際に、取付板５５に形成したアース接触部となるアース穴用に挿入され圧接接続される。    
【００２０】
この電源端子台の組立は、ボディ３内に速結端子２を収納し刃形端子３６をスリット１３に通し、アース端子３８をスリット３９に通してカバー４をボディ３に閉じることにより行われる。このときカバー４の端子押さえ片１６の下面は刃形端子３６の上端に当接している。
【００２１】
電源端子台は取付板５５に設けたプリント基板のコネクタ４０に接続するように取付板５５に取付けられる。ここで、取付板５５には取付板５の表面に取付面３ａが当接する状態で取付部１７を受けるねじ孔のある台状の取付受け部（図示せず）を突設するとともに、位置決め部５０の穴に嵌合するピンなどの位置決め受け部（図示せず）を形成している。コネクタ４０の受け部（受け刃）４１に刃形端子３６を差し込む前に位置決め受け部に位置決め部５０が嵌合開始し、電源端子台を取付板５５に位置決めする。このように位置決めされながら、刃形端子３６をコネクタ４０の受け部４１に差し込みボディ３の取付面３ａを取付板５５に置く。刃形端子３６の圧接接続後に取付部１７のねじ挿通孔１８を通して取付板５５の台状の取付受け部のねじ孔にねじを締めつけて固定する。このとき、カバー４の端子押さえ片１６を押すことで確実に刃形端子３６を受け部４１に差し込むことができる。
【００２２】
さらにコネクタ４０または取付板５５に電源端子台の前端両側に延出する側壁を設け、凸部１９に対応してその側壁に凸部１９を位置決めする凹部を形成している。
【００２３】
図９から図１２は誘導灯照明器具を示している。６５は誘導灯照明器具の天井または壁取付け可能な器体、６６はプリント基板６６ａに実装された回路ブロック、６７は壁取付け時の取付孔、６８は電線挿通孔である。電線は径が大きくなるほど曲げ加工が行いにくくなるが、電源端子台の電線挿入穴２４ａ〜２４ｄ、２５ａ〜２５ｄを斜めに形成することにより、差し込み容易になる。７７はコネクタ４０または取付板５５に設けられ電源端子台の前端側部に位置した、凸部１９が位置決め嵌合する凹部を有する側壁である。
【００２４】
この発明の第２の実施の形態を図１３により説明する。すなわち、第１の実施の形態のストッパ７６に代えて、切り起こしの根元を底辺とし、鎖錠片３２側を高さとする略直角三角形状のストッパ７６ａとしており、平等ばりとすることができるので過変形防止機能を損なうことがない。
【図面の簡単な説明】
【００２５】
【図１】この発明の第１の実施の形態の斜視図である。
【図２】電源端子台を下方からみた斜視図である。
【図３】電源端子台を上方前方からみた斜視図である。
【図４】電源端子台の分解斜視図である。
【図５】電源端子台を上方後方からみた斜視図である。
【図６】電源端子台の平面図である。
【図７】そのＡ−Ａ線断面図である。
【図８】刃形端子の接続前の状態の部分断面側面図である。
【図９】誘導灯照明器具の外観斜視図である。
【図１０】器体の蓋を開いた状態の断面図である。
【図１１】平面図である。
【図１２】回路ブロックと電源端子台とを示す部分斜視図である。
【図１３】第２の実施の形態の速結端子装置の部分斜視図である。
【符号の説明】
【００２６】
３１    連結片
３２    鎖錠片
３３    電線接続部
３４    接触片
７６    ストッパ部
７６ａ  ストッパ部
８０    第１の折り曲げ部
８１    第１の根元部
８２    第１のばね部
８３    鎖錠部
８４    第２の折り曲げ部
８５    第２の根元部
８６    第２のばね部
８７    接触部
【図１】
0004723962.tif 000002
【図２】
0004723962.tif 000003
【図３】
0004723962.tif 000004
【図４】
0004723962.tif 000005
【図５】
0004723962.tif 000006
【図６】
0004723962.tif 000007
【図７】
0004723962.tif 000008
【図８】
0004723962.tif 000009
【図９】
0004723962.tif 000010
【図１０】
0004723962.tif 000011
【図１１】
0004723962.tif 000012
【図１２】
0004723962.tif 000013
【図１３】
0004723962.tif 000014